(57)【要約】【課題】  立体的で斬新な外観となる計器装置を提供する。【解決手段】  文字盤２と、文字盤２の外縁に沿って配設されるリング部材３と、リング部材３の裏面側に配設されたＬＥＤ４とを備えた計器装置である。  そして、リング部材３の前面側の端部には凸部５が設けられ、凸部５は最前端面５ａに金属調層６が設けられると共に両側側面５ｂ，５ｂがＬＥＤ４から導入された光が出射可能に形成されている。【選択図】  図１
2006329691.tif 000002
【特許請求の範囲】
【請求項１】
文字盤と、該文字盤の外縁に沿って配設される導光部材と、該導光部材の裏面側に配設された光源とを備えた計器装置であって、
前記導光部材の前面側の端部には凸部が設けられ、該凸部は最前端面に被覆層が設けられると共に両側側面が前記光源から導入された光が出射可能に形成されていることを特徴とする計器装置。
【請求項２】
前記被覆層が遮光性を有する金属調に処理されていることを特徴とする請求項１に記載の計器装置。
【請求項３】
前記導光部材には、前記凸部の両側側面に対向する傾斜面がそれぞれ形成され、該傾斜面には反射層が設けられていることを特徴とする請求項１又は２に記載の計器装置。
【発明の詳細な説明】
【技術分野】
【０００１】
本発明は、車両等に採用するのに適した計器装置に関するものである。
【背景技術】
【０００２】
従来、例えば車両用の指針計器装置には、略円形の文字盤と、この文字盤の外縁に沿って表面が金属調に処理されたリング部材が配設されるものが知られている（特許文献１など参照）。
【０００３】
また、特許文献１乃至３などに開示されているように、リング部材を導光部材によって形成し、裏面側に配設された発光ダイオード（ＬＥＤ）の光をリング部材から出射させるように構成された計器装置も知られている。
【特許文献１】特開２００１−４１７７９号公報（０００２段落、図２〜図６）
【特許文献２】特開２００４−２２６３６３号公報
【特許文献３】特開２００２−７１３９２号公報
【発明の開示】
【発明が解決しようとする課題】
【０００４】
しかしながら、導光部材を使用して光を出射させるだけでは画一的な見栄えとならざるを得ない。
【０００５】
そこで、本発明は、立体的で斬新な外観となる計器装置を提供することを目的としている。
【課題を解決するための手段】
【０００６】
前記目的を達成するために、本発明は、文字盤と、該文字盤の外縁に沿って配設される導光部材と、該導光部材の裏面側に配設された光源とを備えた計器装置であって、前記導光部材の前面側の端部には凸部が設けられ、該凸部は最前端面に被覆層が設けられると共に両側側面が前記光源から導入された光が出射可能に形成されている計器装置であることを特徴としている。
【０００７】
ここで、前記被覆層は遮光性を有する金属調に処理することができる。
【０００８】
さらに、前記導光部材には、前記凸部の両側側面に対向する傾斜面をそれぞれ形成し、該傾斜面には反射層を設けることができる。
【発明の効果】
【０００９】
このように構成された本発明は、導光部材の前面側の端部に凸部が設けられ、その凸部の最前端面に被覆層が設けられて光の出射が遮られる又は低減されると共に、凸部の両側側面から光が出射される。
【００１０】
このため、凸部の最前端面に設けられた被覆層が光の中に浮かんでいるような立体的で斬新な外観を提供することができる。
【００１１】
特に、被覆層を金属調処理した場合、裏面からの光が遮光されると共に表面に当たった光が散乱して輝いて見栄えが良くなる。
【００１２】
また、前記凸部の側面に対向する傾斜面を設け、その表面に反射層を設けることで、凸部側面から出射した光が反射層で反射し、より一層、被覆層を光の中に浮かび上がらせて立体感を強調することができる。
【発明を実施するための最良の形態】
【００１３】
以下、本発明の最良の実施の形態について図面を参照して説明する。
【００１４】
図２に示す本実施の形態による計器装置は車両に適用される計器装置であって、計器装置としてのタコメータ１とスピードメータ２１は、コンビネーションメータ１００に組み込まれている。
【００１５】
ここで、タコメータ１とスピードメータ２１は、文字盤２，２２の外縁部はほぼ同じ構成となるため、以下、タコメータ１について説明する。
【００１６】
このタコメータ１は、文字盤２と、可動部材である指針１３と、文字盤２の外縁に沿って円環状に配設される導光部材としてのリング部材３とが乗員によって視認可能な主な構成となる。
【００１７】
この指針１３は、図２のＡ−Ａ線断面図である図３に示すように、指針１３を回転させる指針軸１３ｂと、その上端に嵌め合わせる指針キャップ１３ａとを備えている。
【００１８】
そして、この指針１３が指示する文字盤２上には、その指針１３の角度に対応した目盛りと数値が印刷されている。
【００１９】
さらに、この文字盤２の外縁に配設されるリング部材３は、例えば透明なポリカーボネート樹脂等によって、図３に示すように文字盤２よりも前面側に突出する高さに成形されており、その前面側の端部には凸部５が設けられている。
【００２０】
この凸部５は、図１に示すように最も前面側に突出する最前端面５ａと、その両側に形成される側面５ｂ，５ｂとによって形成され、最前端面５ａには被覆層としての金属調層６がホットスタンプ（熱転写）などによって形成される。
【００２１】
また、リング部材３の凸部５基端には、側面５ｂ，５ｂに対向するように曲面状の傾斜面７，７が設けられ、その表面には反射層としてのシルバー塗装層８，８が形成される。
【００２２】
このシルバー塗装層８，８は、リング部材３の文字盤２側の内側壁３ｂとその反対側の立上り壁３ａとにも連続して形成される。
【００２３】
さらに、このリング部材３の裏面側には光源としてのＬＥＤ４が配設されており、リング部材３の底面から入射された光は前面側に進んで凸部５の側面５ｂ，５ｂから出射される（図１の矢印参照）。
【００２４】
このＬＥＤ４は、図３に示すようにタコメータ１の基板１０上に取り付けられたケース部材１１の穴に配設され、ＬＥＤ４の対面側には拡散板９が設けられて、ＬＥＤ４が点灯して出射した光は拡散板９によって拡散される。
【００２５】
また、拡散板９の前面側には着色層１２が設けられ、ＬＥＤ４から出射された光を所望の色に変化させて文字盤２の裏面及びリング部材３の裏面に入射させる。
【００２６】
次に、上記した本実施の形態の計器装置としてのタコメータ１の作用について説明する。
【００２７】
このように構成された本発明のタコメータ１は、図１に示すようにＬＥＤ４から出射された光が拡散板９に入射して拡散された後に、着色層１２に入射して所定の色に変化してリング部材３に入射される。
【００２８】
そして、リング部材３の裏面から入射された光は、内部を凸部５に向かって進行して凸部５の両側側面５ｂ，５ｂから出射される。
【００２９】
このようにして側面５ｂ，５ｂから出射した光は、傾斜面７，７に設けられたシルバー塗装層８，８で反射して金属調層６周辺を照らすことになる。
【００３０】
このため、リング状の金属調層６が光の帯の中に浮かんでいるような立体的で斬新な外観を乗員は視認することができる。
【００３１】
また、このような金属調層６は、ホットスタンプによって容易に形成することができ、メッキや蒸着によって処理する場合に比べて側面５ｂ，５ｂを透光性に優れたきれいな状態に保つことが簡単にできる。
【００３２】
さらにシルバー塗装層８，８を設けることによって、凸部５の側面５ｂ，５ｂから出射された光が反射して金属調層６周辺の明るさが増して立体的な外観を際立たせることができる。
【実施例】
【００３３】
以下、前記した実施の形態の実施例について説明する。なお、実施の形態で説明した内容と同一乃至均等な部分の説明については同一符号を付して説明する。
【００３４】
図４は、本実施例の計器装置としてのタコメータ３１に対して図２のＡ−Ａ線と同じ位置で切断した断面図である。
【００３５】
この実施例の導光部材としてのリング部材３３以外の構成は、前記した実施の形態と同様であるため説明を省略する。
【００３６】
このリング部材３３は、文字盤２の外縁に沿って配設され、その前面側の端部には凸部３５が形成されている。
【００３７】
この凸部３５は、文字盤２側に傾斜する最前端面３５ａとその両側側面３５ｂ，３５ｂとによって形成され、その最前端面３５ａには被覆層としての金属調層３６がホットスタンプによって形成される。
【００３８】
また、リング部材３３の文字盤２と反対側の側壁には黒色などの塗装層３８が設けられ、リング部材３３の内部を進行する光が側壁から漏れ出さないようにしておく。
【００３９】
このように構成された本実施例のタコメータ３１は、ＬＥＤ４から出射した光が拡散板９、着色層１２を通ってリング部材３の裏面から入射し、その内部を通って凸部３５の両側の側面３５ｂ，３５ｂから出射される。
【００４０】
このため、金属調層３６の両側が照らされて光の帯の中に浮かんでいるように立体的な外観が際立って見える。
【００４１】
特に、暗い色の塗装層３８によってリング部材３３の側壁から漏れ出す光を遮ることで、より一層、凸部３５の両側側面３５ｂ，３５ｂから出射された光とのコントラストを強調することができる。
【００４２】
なお、他の構成及び作用効果については、前記実施の形態と略同様であるので説明を省略する。
【００４３】
以上、図面を参照して、本発明の最良の実施の形態を詳述してきたが、具体的な構成は、この実施の形態に限らず、本発明の要旨を逸脱しない程度の設計的変更は、本発明に含まれる。
【００４４】
例えば、前記実施の形態では文字盤２の外縁全周に円環状に導光部材を配設したが、これに限定されるものではなく、文字盤２の外縁の一部に導光部材を配設するだけでもよい。
【００４５】
また、文字盤２の形状は略円形に限定されるものではなく、略半円形などの別の形状であってもよく、その外縁全周に導光部材を配設したり、円弧部分の外縁にだけ導光部材を配設したりすることができる。
【図面の簡単な説明】
【００４６】
【図１】本発明の最良の実施の形態の計器装置の要部を拡大した断面図である。
【図２】計器装置としてのタコメータとスピードメータを組み込んだコンビネーションメータの正面図である。
【図３】図２のＡ−Ａ線断面図である。
【図４】実施例の計器装置の断面図である。
【符号の説明】
【００４７】
１，３１        タコメータ（計器装置）
２，２２        文字盤
３，３３        リング部材（導光部材）
４              ＬＥＤ（光源）
５，３５        凸部
５ａ，３５ａ    最前端面
５ｂ，３５ｂ    側面
６，３６        金属調層（被覆層）
７              傾斜面
８              シルバー塗装層（反射層）
２１            スピードメータ（計器装置）
【図１】
2006329691.tif 000003
【図２】
2006329691.tif 000004
【図３】
2006329691.tif 000005
【図４】
2006329691.tif 000006